(57)【特許請求の範囲】
【請求項１】
前身頃と、後身頃と、前記前身頃と前記後身頃との間に位置する股下部と、前記股下部から延在し、前記股下部の幅方向外側に左右一対の脚周り開口部を有する左右一対の脚周り被覆部とを具える外装体と、
前記外装体の内側における股下部に保持された吸収性本体とを備えるボクサーパンツ型使い捨ておむつであって、
前記左右一対の脚周り被覆部それぞれの内周における、内股領域に、着用者の肌との間に隙間を形成する可とう性の凹凸部が設けられていることを特徴とするボクサーパンツ型使い捨ておむつ。
【請求項２】
前記凹凸部は、複数のひだであることを特徴とする請求項１に記載のボクサーパンツ型使い捨ておむつ。
【請求項３】
前記複数のひだ間には隙間があることを特徴とする請求項２に記載のボクサーパンツ型使い捨ておむつ。
【請求項４】
吸収性本体は、吸収体と、該吸収体の一方面側に重ねられる液透過性のトップシートと、前記吸収体の他方面側に重ねられる液不透過性のバックシートと、前記トップシートの左右両側において、前記トップシートに接合される一対のサイドシートとを具え、
前記凹凸部は、前記各サイドシートと一体に形成され、前記吸収性本体から幅方向外側に延出することを特徴とする請求項１ないし３のいずれかに記載のボクサーパンツ型使い捨ておむつ。
【請求項５】
前記凹凸部は、親水性部分を有することを特徴とする請求項１ないし４のいずれかに記載のボクサーパンツ型使い捨ておむつ。
【請求項６】
前身頃と、後身頃と、前記前身頃と前記後身頃との間に位置する股下部と、前記股下部の幅方向外側に形成された左右一対の脚周り開口部と、前記股下部から延在し、前記股下部の幅方向外側に左右一対の脚周り開口部を有する左右一対の脚周り被覆部とを具えるボクサーパンツ型外装体に取り付けられる吸収性物品であって、
吸収体と、該吸収体の一方面側に重ねられる液透過性のトップシートと、前記吸収体の他方面側に重ねられる液不透過性のバックシートと、前記トップシートの左右両側において、前記トップシートに接合される一対のサイドシートと、該サイドシートと一体に形成された可とう性の凹凸部とを備え、
前記吸収性物品が、前記ボクサーパンツ型外装体に取り付けられる際に、前身頃から後身頃にわたる長手方向に直交する幅方向に関し、前記凹凸部は、前記一対のサイドシートのそれぞれから前記幅方向外側に延出して着用者の肌との間に隙間を形成し、かつ、前記吸収性物品が、前記外装体に取り付けられたときに、前記外装体の、前記左右一対の脚周り被覆部それぞれの内周における、内股領域に位置することを特徴とする吸収性物品。
【請求項７】
前記凹凸部は、複数のひだであることを特徴とする請求項６に記載の吸収性物品。
【請求項８】
前記凹凸部は、親水性部分を有することを特徴とする請求項７に記載の吸収性物品。
【発明の詳細な説明】
【技術分野】
【０００１】
本発明は、使い捨ておむつに関する。具体的には、本発明は、着用者の脚周りを被覆する脚周り被覆部を具えるボクサーパンツ型使い捨ておむつに関する。また、ボクサーパンツ型の外装体に取り付けられる吸収性物品に関する。
【背景技術】
【０００２】
前身頃と後身頃の左右端部が接合され、ウエスト開口部と左右の脚周り開口部とが形成された、いわゆるパンツ型の使い捨ておむつが一般に知られている。特に、左右の脚周り開口部が着用者のそけい部に沿うようにして形成されたショーツタイプのものが普及している。
【０００３】
しかしながら、ショーツタイプの使い捨ておむつは、股下部に隣接して脚周り開口部が位置する形となっている。したがって、着用者が歩いたり、座ったりといった脚の動作によって、着用者のそけい部とおむつの脚周り開口部との間に隙間が生じると、股下部で溜めた尿などの体液がその隙間から漏れやすい。
【０００４】
このような脚周り開口部からの体液漏れをより防ぐために、脚周り部分の密着性を強化したボクサーパンツ型の使い捨ておむつが提供されている。これは、パンツの股下部から脚周り開口部までの丈をショーツタイプに比べて長くし、着用者のそけい部よりも下方に脚周り開口部が位置するものである。このため、着用者の脚の動作によっても、着用者の脚周りとおむつとの間に隙間が生じにくく、脚周り開口部からの体液漏れを効果的に防止できる。
【０００５】
特許文献１に記載のボクサーパンツ型の使い捨ておむつは、脚周り部分に配置された弾性伸縮部材が、左右の脚周り開口部を全体として一つのラウンド状に囲んだ状態で設けられている。これにより体液が漏れにくいとされている。
【０００６】
また、特許文献２に記載の使い捨ておむつは、おむつの着用者の太股内側に対峙する箇所にサイド吸収体を配置し、股下部から太股内側を伝って流れ出る体液を吸収する。すなわち、この着用者の太股内側に対峙する箇所に設けられた吸収体により、脚周りの体液漏れを防ぐ。
【先行技術文献】
【特許文献】
【０００７】
【特許文献１】特許第５２０８９６５号公報
【特許文献２】特開２０１２−１００８８０号公報
【発明の概要】
【発明が解決しようとする課題】
【０００８】
しかしながら、ボクサーパンツ型の使い捨ておむつは、そけい部よりも下方の太股部分をしっかりと覆うため、おむつの股下部から脚周り開口部までの空間が蒸れやすい。また、脚周り部分に配置された弾性伸縮部材によって、脚周り、特に太股部分がきつく締め付けられるため、装着感が良くないと感じる人もいる。
【０００９】
また、特許文献２に記載の使い捨ておむつのように、体液漏れを防ぐために、ショーツ型の使い捨ておむつで、体液が伝わり漏れやすい太股内側にだけ吸収体を配すると、おむつの脚周りの見栄えが良くない。また、太股内側のサイド吸収体の部分だけが延出した形となるため、装着感が良くない。
【００１０】
本発明はこのような問題に鑑みて、おむつの股下部から脚周り開口部までの空間が蒸れにくく、かつ、締め付け感が緩和され、見栄えもよいボクサーパンツ型の使い捨ておむつを提供することを課題とする。
【課題を解決するための手段】
【００１１】
本発明のボクサーパンツ型使い捨ておむつは、前身頃と、後身頃と、この前身頃と後身頃との間に位置する股下部と、股下部から延在し、股下部の幅方向外側に左右一対の脚周り開口部を有する左右一対の脚周り被覆部とを具える外装体と、この外装体の内側における股下部に保持された吸収性本体とを備えるボクサーパンツ型使い捨ておむつであって、左右一対の脚周り被覆部それぞれの内周における、内股領域に、可とう性の凹凸部が設けられていることを特徴とする。
【００１２】
本発明の吸収性物品は、前身頃と、後身頃と、この前身頃と後身頃との間に位置する股下部と、股下部の幅方向外側に形成された左右一対の脚周り開口部と、股下部から延在し、股下部の幅方向外側に左右一対の脚周り開口部を有する左右一対の脚周り被覆部とを具えるボクサーパンツ型外装体に取り付けられる吸収性物品であって、吸収体と、吸収体の一方面側に重ねられる液透過性のトップシートと、前記吸収体の他方面側に重ねられる液不透過性のバックシートと、トップシートの左右両側において、前記トップシートに接合される一対のサイドシートと、該サイドシートと一体に形成された可とう性の凹凸部とを備え、吸収性物品が、前記ボクサーパンツ型外装体に取り付けられる際に、前身頃から後身頃にわたる長手方向に直交する幅方向に関し、凹凸部は、前記一対のサイドシートのそれぞれから幅方向外側に延出し、かつ、吸収性物品が、前記外装体に取り付けられたときに、外装体の、前記左右一対の脚周り被覆部それぞれの内周における、内股領域に位置することを特徴とする。
【図面の簡単な説明】
【００１３】
【図１】図１は、第１実施形態のボクサーパンツ型使い捨ておむつを示す斜視図である。
【図２】図２は、図１のボクサーパンツ型使い捨ておむつの展開図である。
【図３】図３は、サイドシートが展開された状態の吸収性本体の平面図である。
【図４】図４は、サイドシートが折り返される状態の吸収性本体をバックシート側から見た斜視図である。
【図５】図５は、サイドシートの延出クッション部が形成された状態の吸収性本体の平面図である。
【図６】図６は、第１実施形態の使い捨ておむつの断面図である。同図（ａ）は、図２のＡ−Ａ線における断面図であり、同図（ｂ）は、図２のＢ−Ｂ線における断面図である。
【図７】図７は、延出クッション部を示す図である。同図（ａ）は、延出クッション部の斜視図であり、同図（ｂ）は、同図（ａ）のＶＩＩｂ−ＶＩＩｂ線での部分断面図である。
【図８】図８は、着用者に装着された状態の使い捨ておむつの斜視図を模式的に示す。
【図９】図９は、延出フラップに形成された吸収用片を示す平面図である。
【図１０】図１０は、第２実施形態のボクサーパンツ型使い捨ておむつの展開図である。
【図１１】図１１は、第２実施形態の使い捨ておむつの断面図である。同図（ａ）は、図１０のＡ−Ａ線における断面図であり、同図（ｂ）は、図１０のＢ−Ｂ線における断面図である。
【発明を実施するための形態】
【００１４】
本発明によるボクサーパンツ型使い捨ておむつの実施形態について、図１から図１１を参照しながら詳細に説明する。
【００１５】
本実施形態において、「長手方向」とは、おむつ外装体及び吸収性本体（吸収性物品）において、前身頃から後身頃にわたる方向をいう。すなわち、着用者が本実施形態のおむつ等を装着した際に腹側から股下を通り、背側にわたる方向をいう。また、「幅方向」とは、長手方向に平面的に直交する方向をいう。図において、長手方向はＹ軸で示し、幅方向はＸ軸で示す。
【００１６】
本発明の第１実施形態におけるボクサーパンツ型使い捨ておむつ（以下、単に「おむつ」ともいう）の外観において、正面側から見た斜視図を図１に示す。また、図１のおむつを展開し、肌対向面側から見た展開図を図２に示す。
【００１７】
図１及び図２に示されるように、本実施形態におけるボクサーパンツ型使い捨ておむつ１００は、吸収性本体１０と外装体２０とを具えている。吸収性本体１０は、着用者の尿などの体液を吸収し保持するための部材である。外装体２０は、吸収性本体１０をその肌非対向面側から被覆し、吸収性本体１０を着用者の股下で保持するための部材である。
【００１８】
外装体２０は、着用者の腹側に位置する前身頃２１と、着用者の背側に位置する後身頃２２と、これら前身頃２１と後身頃２２の間に位置し、着用者の股下にあてがわれる股下部２３とを有している。吸収性本体１０は、この外装体２０の股下部２３を中心として、前身頃２１と後身頃２２にわたって伸びるように、外装体２０の肌対向面側に重ねて配置されている。加えて、外装体２０は、パンツ型であり、着用時に前身頃２１と後身頃２２とで着用者のウエストの部分を取り囲むウエスト開口部２６が形成されている。同様に、前身頃２１および後身頃２２と股下部２３とで着用者の両脚の太股部分を取り囲む左右一対の脚周り開口部２４が形成されている。これら脚周り開口部２４、ウエスト開口部２６は、前身頃２１と後身頃２２が、それぞれの幅方向の左右両端に位置するサイドシール部２１ａ、２２ａで互いに重ね合わせて接合されることにより、形成されるものである。そして、図２に示すように、外装体２０は股下部２３の左右両端に切り欠きが設けられており、サイドシール部２１ａ、２２ａを互いに重ねて接合することにより、この切り欠きが輪状となって、脚周り開口部２４となる。
【００１９】
また、図１に示されるように、おむつ１００は、脚周り開口部２４の周囲に、着用者の股下から太もも部分を被覆する脚周り被覆部２５が形成される。図１に示されるように、脚周り被覆部２５は、脚周り開口部２４が股下部２３よりも下方に位置するよう、股下部２３から延在し、その端部に脚周り開口部２４が設けられている。図２に示されるように、脚周り被覆部２５は、次の二つによって形成される。すなわち、脚周り開口部２４を形成する切り欠きの開口面積を小さくする（幅方向中心線Ｐからの前身頃２１及び後身頃２２切断片までの概角αを小さくする）こと、及び、脚周り開口部２４から吸収性本体１０の吸収体１１までの間隔を広く確保することである。角度αが大きいと、足周り開口部２４がおむつ左右端に向かって大きく切れ上がることになるため、ショーツ型パンツの形となる。
【００２０】
また、外装体２０は、肌対向面側に位置するインナーシート２７と、肌非対向面側に位置するアウターシート２８とを少なくとも積層した構造となっている。必要に応じて、これらのシートの間、もしくは、外側に、他のシートを複数重ね合わせてもよい。インナーシート２７とアウターシート２８を構成する材料としては、例えば、織布や不織布を用いることができる。特に、外装体２０の肌触りを良くするために、インナーシート２７、アウターシート２８として、ポリエチレン、ポリプロピレン、又はポリエステルのような熱可塑性樹脂からなる乾式不織布又は湿式不織布を用いることが好ましい。
【００２１】
また、外装体２０には、インナーシート２７とアウターシート２８との間に、複数の弾性伸縮部材２９ａ、２９ｂ、２９ｃが介在している。ウエスト伸縮部材２９ａは、ウエスト開口部２６の近傍において、前身頃２１、後身頃２２の幅方向に沿って伸張した状態で固定されている。ウエスト伸縮部材２９ａは、糸ゴムなど伸張するものであればよい。図１に示すように、このウエスト伸縮部材２９ａによって、ウエスト開口部２６は、積層された複数シートに対してギャザーが寄せられた状態で保持されている。したがって、着用の際には、着用者の腰周りに合わせてウエストギャザーが形成されることとなる。また、複数のタミー伸縮部材２９ｂは、ウエスト伸縮部材２９ａよりも股下部２３寄りの位置において、幅方向に沿って伸張した状態で固定されている。図１に示すように、このタミー伸縮部材２９ｂによっても積層された複数シートはギャザーが寄せられた状態で保持されている。すなわち、着用者の下腹部周りにタミーギャザーが形成される。また、脚周り伸縮部材２９ｃは、脚周り開口部２４の近傍において、この脚周り開口部２４の形状に沿って伸張した状態で固定されている。脚周り伸縮部材２９ｃによって、脚周り開口部２４付近にギャザーが形成される。
【００２２】
このような外装体２０の肌対向面側には、上述したように、吸収性本体１０が配置される。図２に示されるように、吸収性本体１０は、その長手方向中央が中心線Ｐ上にくるようにして、外装体２０を成すシート中心に配される。そして、その肌非対向面側がホットメルト接着剤等を介して外装体２０に接合される。吸収性本体１０の長手方向の長さは外装体２０の長手方向の長さよりも短く、吸収性本体１０の幅方向の長さは、おむつ完成時において、脚周り開口部２４よりも内側に位置する長さである。したがって、図１に示されるように、外装体２０の各開口部２４、２６から吸収性本体１０が露出することなく、外装体２０の内側に収まっている。
【００２３】
そして、本実施形態のおむつ１００は、脚周り被覆部２５の内股領域に、可とう性の凹凸を備えた凹凸部３３ｄを有している。この凹凸部３３ｄは、複数の凸部分を有し、この凸部分が変形することにより、脚周りの締め付け感を緩和するものである。以下では、その機能から、凹凸部３３ｄを延出クッション部３３ｄとも言う。この延出クッション部３３ｄは、股下から内股を伝って漏れ出る体液を吸収し、脚周り開口部２４へ漏れ出すのを阻止するとともに、脚周りの通気性を確保し、蒸れを抑制する。加えて、着用者の脚周りの締め付け感を緩和するものである。この凹凸部（延出クッション部）３３ｄの詳細については、後述する。
【００２４】
図３は、吸収性本体１０の構造を示した平面図である。
【００２５】
吸収性本体１０は、吸収体１１と、液透過性のトップシート１２と、液不透過性のバックシート１３と、立体ギャザーを形成するためのサイドシート１４とを具えている。
【００２６】
図３は、サイドシート１４が展開された状態を示しており、図４は、サイドシート１４の一部が折り返された状態を示している。図５は、サイドシート１４の折り返されていない部分である延出フラップにひだ加工を施した状態を示している。また、図６（ａ）は、図２に示したＡ−Ａ線における断面構造を示し、図６（ｂ）は、図２に示したＢ−Ｂ線における断面構造を示す。
【００２７】
吸収体１１はトップシート１２とバックシート１３の間に配置され、トップシート１２を透過した尿等の体液を吸収し、保持する。吸収体１１はこのような機能を果たすために、吸収性材料によって構成されており、吸収性材料は、吸収機能を有する公知の材料を採用することができる。具体的には、例えばフラッフパルプ、高吸水性ポリマー（ＳＡＰ）、又は親水性シートを用いてもよい。これらの吸収性材料は１種類を単独で用いてもよいし、複数種類を併用して用いてもよい。本実施形態においては、フラッフパルプに高吸水性ポリマー（ＳＡＰ）を混ぜ込んだものをマット状にし、単層、または複数層を積層したものを用いている。
【００２８】
トップシート１２は、着用者の股下の肌に直接接し、尿等の体液を吸収体１１に透過させるためのものである。そのため、トップシート１２は、肌触りのよい液透過性材料で形成されている。具体的には、例えば、ポリプロピレンやポリエチレン、ポリエステル、ナイロンのような熱可塑性樹脂の繊維を親水化処理し、さらに不織布にしたものを用いることとしてもよい。
【００２９】
バックシート１３は、吸収体１１に吸収された液体が、外装体２０側に漏れ出すことを防止するための部材である。したがって、バックシート１３は液不透過性材料（撥液性材料）で構成されている。具体的には、例えば、ポリエチレン樹脂からなる液不透過性のフィルムである。また、液を漏らさずに通気性を確保するために、０．１〜４μｍの微細な孔が複数形成された微多孔性ポリエチレンフィルムを用いることが好ましい。
【００３０】
また、図６の断面図に示されるように、トップシート１２は、吸収体１１の幅方向左右外側まで延出し、吸収体１１の端を包み込むようになっていてもよい。また、トップシート１２の一部、すなわち、肌非対向面側に位置する部分とバックシート１３とを接合することで、トップシート１２とバックシート１３とで吸収体１１を内包してもよい。
【００３１】
加えて、図６に示されるように、トップシート１２と吸収体１１との間に液透過性のセカンドシート１５を設けてもよい。セカンドシート１５は、トップシート１２を透過した液体を拡散させることを目的として配置されるシート状部材である。セカンドシート１５を設けることで、着用者が着座時など、吸収性本体１０が圧迫されて、吸収体１１とトップシート１２との間に十分な空間が形成されない場合においても、液が拡散しやすくなる。液が拡散しやすいため、液の吸収速度が低下することを抑制できる。セカンドシート１５を構成する材料としては、トップシート１２と同様に、液透過性の織布、不織布、多孔性フィルム等を用いることができる。
【００３２】
また、吸収性本体１０の肌対向面側の幅方向左右両側には、長手方向の全体にわたって、一対のサイドシート１４が重ねあわされている。一対のサイドシート１４は、吸収体１１の両側縁に沿って起立し、体液の横漏れを防止する立体ギャザーを形成する。サイドシート１４としては、撥水性と通気性を有するものが適している。具体的な材料として、例えば、カードエンボスやスパンボンド等の製法により形成された不織布シートを用いることができ、特に、防水性と通気性の高いＳＭＳやＳＭＭＳ等の不織布シートを用いるのが好ましい。また、サイドシート１４は、織布や不織布に撥水加工をしたものであってもよく、あるいは、トップシート１２等と同様に、液透過性シートを用いることも可能である。
【００３３】
図６に示されるように、サイドシート１４は、トップシート１２に接する側に位置する内層１４ａと、トップシート１２に接しない側に位置する外層１４ｂとが重なった積層構造となっている。例えば、サイドシート１４を構成するシート部材を立体ギャザーの頂点で折り返して、内側に位置するものを内層１４ａとし、外側に位置するものを外層１４ｂとする。
【００３４】
図３に示されるように、一対のサイドシート１４は、接合領域３１、起立領域３２、延出領域３３に幅方向に区分される。図６に示すように、幅方向内側から、起立領域３２、接合領域３１、延出領域３３と形成されており、長手方向に沿って延びる帯状の領域とみなせる。起立領域３２は立体ギャザーを構成する領域である。延出領域３３は、吸収性本体１０の肌非対向面側に折り返される折返フラップ３３ｂと、最終的に延出クッション部３３ｄとなる延出フラップ３３ａを構成する領域である。
【００３５】
図６に示されるように、サイドシート１４の接合領域３１は、トップシート１２の肌対向面上に接合されており、この接合領域３１の接合により起立領域３２を固定できる。基本的にサイドシート１４は、対向するトップシート１２の肌対向面上に全面的に接合されている。なお、図示は省略するが、バックシート１３の左右両端部がトップシート１２の左右両端部から延出している場合、サイドシート１４は、接合領域３１において、バックシート１３の肌対向面上に接合されていてもよい。
【００３６】
図３に示すように、起立領域３２は、長手方向の前後両端側に接合部分３２ａを配し、これら接合部分３２ａ間を自由部分３２ｂとする。前後両端の接合部分３２ａにおいて、サイドシート１４は、トップシート１２の肌対向面上に接合されている。他方、自由部分３２ｂにおいて、サイドシート１４は、トップシート１２の肌対向面上に接合されていない。このため、サイドシート１４は、起立領域３２の自由部分３２ｂにおいて、トップシート１２から離れて、自由に立ち上がることができるようになっている。起立領域３２の自由部分３２ｂには立体ギャザーが形成されている。自由部分３２ｂは、股下部２３から前身頃２１、後身頃２２にわたる長さで形成されているのが好ましい。なお、上述したサイドシート１４の接合領域３１や、起立領域３２の接合部分３２ａにおけるシートの接合は、例えば、公知のホットメルト接着剤や熱融着などを利用して行われるものである。
【００３７】
加えて、図３に示されるように、サイドシート１４の起立領域３２における自由部分３２ｂには、長手方向に沿って１または複数の立体ギャザー伸縮部材１６が固定されている。この立体ギャザー伸縮部材１６が収縮することにより、起立領域３２の自由部分３２ｂが着用者の肌に当接する方向に向かって立ち上がり、立体ギャザーを形成する。立体ギャザーは、尿など体液の防漏壁となり、外部へ漏れ出すのを防止する。
【００３８】
さらに、サイドシート１４は延出領域３３を備える。この延出領域３３は、接合領域３１の幅方向外側に位置し、かつ、少なくともトップシート１２の肌対向面に接合されていない領域である。特に、図３に示されるように、サイドシート１４が展開されている状態において、この延出領域３３は、吸収性本体１０を構成するほかの部材（吸収体１１、トップシート１２、バックシート１３、セカンドシート１５等）のいずれに対しても、肌対向面側に接合されていないのが好ましい。例えば、バックシート１３がトップシート１２の幅方向外側に延出している場合、サイドシート１４の延出領域３３は、バックシート１３の肌対向面側に接合されていない領域である。この延出領域３３の形状及び幅方向の幅の詳細については、後述する。
【００３９】
図３に示されるように、本実施形態において、サイドシート１４の延出領域３３は、長手方向の中央部分に位置する延出フラップ３３ａと、この延出フラップ３３ａの長手方向の前後両側に位置する折返フラップ３３ｂとに区分されている。図３に示されるように、延出フラップ３３ａと、その前後に位置する折返フラップ３３ｂとの間は、切り込み３３ｃによって切り離されている。図３では、切り込み３３ｃは、延出領域３３の幅方向端部まで延出しており、この切り込み３３ｃにより、延出フラップ３３ａは、延出領域３３幅方向端部に向かうにつれて狭まる台形形状となる。
【００４０】
図４に示されるように、延出領域３３の折返フラップ３３ｂは、吸収性本体１０の肌非対向面側に折り返される。そして、図６（ｂ）に示されるように、吸収性本体１０の最も外側をくるむようにして、ホットメルト接着剤などによって接合される。この詳細については後述する。そして、このとき、接合領域３１と延出領域３３の境界線が、折返フラップ３３ｂの折返線として機能する。他方で、延出フラップ３３ａは、折り返されずにそのまま残った状態となる。したがって、図４に示されるように、延出フラップ３３は、吸収性本体１０のトップシート１２よりも幅方向外側に向かって延出した部位となる。特に、延出フラップ３３ａは、吸収性本体１０を構成する他のいずれの部材（吸収体１１、トップシート１２、バックシート１３、セカンドシート１５等）よりも幅方向外側に位置するのが望ましい。その延出の長さについては後述する。そして、図４には示されていないが、例えば、バックシート１３の幅方向の長さがトップシート１２の幅方向長さよりも長く形成されており、バックシート１３がトップシート１２の幅方向外側に延出していることもある。この場合、延出フラップ３３ａは、バックシート１３よりもさらに幅方向外側に延出する。
【００４１】
本実施形態では、トップシート１２がバックシート１３の肌非対向面側と対峙するように折り返されて、トップシート１２が吸収体１１及びバックシート１３の端をくるんでいる。したがって、図６（ｂ）に示されるように、折り返された折返フラップ３３ｂは、この折り返されたトップシート１２の肌非対向面側に重なるように、最も外側に折り返されて固定される。したがって、サイドシート１４がトップシート１２、吸収体１１、バックシート１３を全てくるむ形となり、横漏れを防止するとともに、吸収性本体１０の型崩れを抑制する。
【００４２】
一方で、図４に示されるように、延出フラップ３３ａは、吸収性本体１０の幅方向に突出することとなる。本実施形態では、この延出フラップ３３ａに対し、その幅方向の長さが短くなるように、長手方向にほぼ平行な山折り（凸）と谷折り（凹）を交互に行い、図７（ａ）に示されるように、ひだが並ぶ延出クッション部３３ｄにする。図７（ｂ）に示されるように、延出クッション部３３ｄは、折山状の複数のひだ３３１が並べられている。ひだ３３１は、公知のプリーツ加工やしぼり加工によって形成されたものでよい。本実施形態では、折山状に（屏風たたみ状に）、ひだ３３１が寄せられているが、本発明はこれに限らず、ひだ３３１の頂上が丸いものであってもよい。また、吸収性本体１０の長手方向において、延出クッション部３３ｄのひだ３３１は連続するものであっても、不連続なものであってもよい。例えば、ランダムに不連続な折山が形成されているものや、エンボス加工による特定の形の凹凸が複数設けられているものであってもよい。いずれの凹凸形状においても、図７（ｂ）の破線円で示すように、ひだ３１１間（もしくは凸間）に空間Ｆが形成されればよい。また、ひだ３１１の高さｈは、使用前の状態において、３．０ｍｍ程度であり、１．０ｍｍ以上５．０ｍｍ以下が好ましい。
【００４３】
また、図５に示されるように、延出フラップ３３ａは、ひだ３３１が寄せられることによって、延出クッション部３３ｄとなる。本実施形態における、延出クッション部３３ｄの幅方向の長さＭ２は、延出フラップ３３ａの幅方向の長さＭ１の１／２である。Ｍ２は、サイドシート１４の厚さや材質によって適宜決定されるものであるが、例えば、１／２Ｍ１以上１／４Ｍ１以下が望ましい。図２に示されるように、延出フラップ３３ａは、ひだ３３１を寄せた延出クッション部３３ｄになった状態で外装体２０に取り付けられるものである（図２参照。）。したがって、ひだ３１１を寄せる前のサイドシート１４の延出領域３３は、幅方向において、外装体２０の脚周り開口部２４となる切り欠きよりも外側に位置することとなる。そして、ひだ３１１を寄せた延出クッション部３３ｄとなった状態で、外装体２０の切り欠きよりも内側に位置することとなる。このように延出フラップ３３ａの長さＭ１は、ひだ３１１が寄せられた状態の長さＭ２で外装体２０の内側に収まる程度で決定される。
【００４４】
図２に示されるように、延出クッション部３３ｄが形成された吸収性本体１０は、外装体２０の肌対向面側に配置される。具体的には、吸収性本体１０は、外装体２０の股下部２３を中心として、前身頃２１から後身頃２２にかけて配置される。この時、上述したように、延出クッション部３３ｄが、外装体２０の脚周り被覆部２５に相当する位置に配置される。
【００４５】
延出クッション部３３ｄを備える吸収性本体１０は、外装体２０に対してホットメルト接着剤等によって接合される。吸収性本体１０の外装体２０への接合は、延出クッション部３３ｄを含む全体において、肌非対向面側に接着剤を塗布して固定する。しかしながら、接合はこの方法に限らず、部分的に接着剤を塗布して接合するものであってもよい。延出クッション部３３ｄを、外装体２０の脚周り被覆部２５（特にパンツで内股部分に位置する部分）に接合すれば、着用者がパンツを装着する際に、延出クッション部３３ｄがヒラヒラと上下動したり、着用後の脚の前後運動で延出クッション部３３ｄがよれることなく、脚の太股部分に固定される。
【００４６】
図８は、ボクサーパンツ型使い捨ておむつ１００の着用の様子を示す斜視図である。
【００４７】
吸収性本体１０は、外装体２０によって着用者の股下にあてがわれる。この時、延出クッション部３３ｄは、外装体２０の脚周り被覆部２５に位置するため、着用者のそけい部から太股に位置することとなる。特に内股領域に当接することになるため、体液が股下から太股（特に内股部分）を伝って漏れた場合も、延出クッション部３３ｄで流れをせき止めるとともに吸収することができる。
【００４８】
加えて、図８で示されるように、延出クッション部３３ｄは、着用者の太股（特に内股部分）にひだ３３１の頂点（凸）を対向させて当接する。したがって、着用者の皮膚に延出クッション部３３ｄがぺったりと密着するのではなく、図７（ｂ）で示された空間Ｆがある状態で当接することとなる。着用者の太股の太さによっては、多少ひだ３３１はつぶれ、空間Ｆが小さくなる場合はあるが、ひだ３３１がないものに比べて、着用者の皮膚との間に適度な隙間を確保することができる。またこのひだ３３１の高さによって、おむつ１００の脚周り被覆部２５と肌との間に隙間を形成することができる。先の空間Ｆとこの隙間により、着用者の脚周りに、常に通気性を確保することできるため、脚周りの蒸れが発生しにくい。加えて、着用者の太股に外装体２０のインナーシート２７が直接密着するのではなく、変形可能な延出クッション部３３ｄが接触するため、締め付け感が緩和される。特に、脚周り開口部２４付近は、脚周り伸縮部材２９ｃによる締め付け感があるが、延出クッション部３３ｄがあることにより、肌への接触が柔らかになり、締め付け感が緩和され、パンツの装着感が向上する。
【００４９】
上述したように、延出クッション部３３ｄは、尿などの体液を吸収する役目もあるため、より吸収性を有しているのが好ましい。一方で、ひだ３１１が寄せられる前の延出フラップ３３ａは、サイドシート１４の一部である。サイドシート１４は、上述したように、体液の横漏れを防止する立体ギャザーを構成するものであるため、一般的に撥水性を有するシート材料で形成されることが多い。したがって、本実施形態において、延出クッション部３３ｄには、吸収性を高めるために、親水材を塗布してもよい。例えば、延出フラップ３３ａに親水材を塗布した後、ひだ３３１を形成するような製造方法であってもよい。
【００５０】
また、延出クッション部３３ｄに吸収性を持たせる別の例として、図９に示されるように、延出フラップ３３ａの肌対向面側に吸収性素材からなる吸収用片３３ｅを貼り付けたものも挙げられる。この吸収用片３３ｅを貼り付けた延出フラップ３３ａにひだ３３１形成加工を施し、延出クッション部３３ｄを形成してもよい。吸収用片３３ｅの大きさは、延出フラップ３３ａよりも小さくてもよいし、逆に延出フラップ３３ａをはみ出す大きさであってもよい。この吸収用片３３ｅは吸収性素材であればよく、例えば、パルプ、セルロース繊維、繊維状の吸収性ポリマーなどが挙げられる。また、ティシュや、合成繊維と吸収性ポリマーからなるＳＡＰシート、ウレタンなどの発泡素材で吸収性を有するものなども用いることができる。
【００５１】
また、延出クッション部３３ｄに親水加工を行った場合、防漏性を向上させるために、次のような加工を加えてもよい。すなわち、延出フラップ３３ａの肌非対向面側に漏れを防ぐための防漏性フィルムを貼り付け、このフィルムを貼り付けた状態で延出フラップ３３ａにひだ３３１形成加工を施し、延出クッション部３３ｄを形成してもよい。あるいは、ひだ３３１が形成された延出クッション部３３ｄの肌非対向面側に防漏性フィルムを貼り付けてもよい。このように防漏性フィルムを貼り付けることにより、延出クッション部３３ｄの吸収性と、防漏性の両方を確保することができる。
【００５２】
また、延出クッション部３３ｄは、内股部分という脚の前後運動によってすれ易い部分に位置する。したがって、脚の前後運動によって延出クッション部３３ｄが肌にすれて、皮膚に影響がないように、延出クッション部３３ｄには、ローションやかぶれ防止用薬剤を予め塗布しておいてもよい。その量は延出クッション部３３ｄの吸収性を損なわない程度のものとする。
【００５３】
加えて、必要に応じて、延出クッション部３３ｄに消臭剤や抗菌剤を添加したり、塗布してもよい。
【００５４】
このように、延出クッション部３３ｄを設けることにより、太股部分（特に内股部分）の通気性を確保することができるとともに、肌への接触が柔らかになり、締め付け感が緩和され、パンツの装着感が向上する。したがって、延出クッション部３３ｄの大きさは次の範囲が好ましい。
【００５５】
図５に示されるように、吸収性本体１０の長手方向の長さをＬ１、延出クッション部３３ｄの長手方向の長さをＬ２とする。延出クッション部３３ｄの長さＬ２は、吸収性本体１０の長さＬ１を１００％とした場合に、５％〜７０％、または１０％〜４０％であるのが好ましい、延出クッション部３３ｄの長さＬ２が３０％未満であると、内股部分を覆う面積が少なくなるため、尿漏れを効果的に防止できなくなるおそれがある。他方、長さＬ２が８５％を越えると、延出クッション部３３ｄが内股部分だけでなく、太股外周のかなりの部分を被覆することになり、ごわつき感などを与えることになる。また、脚の前後運動を阻害するおそれがある。
【００５６】
図６（ａ）に示されるように、サイドシート１４の接合領域３１から脚周り開口部２４までの間隔をＷ１とし、延出クッション部３３ｄの幅方向の長さ（横幅）をＷ２とする。延出クッション部３３ｄの幅方向の長さ（横幅）Ｗ２は、脚周り開口部２４までの間隔Ｗ１以下である（Ｗ２≦Ｗ１）。例えば、延出クッション部３３ｄの長さＷ２が間隔Ｗ１よりも長いと、パンツの脚周り開口部から延出クッション部３３ｄがはみ出すこととなる。このような形状であると、体液を吸収した延出クッション部３３ｄが着用者の衣服に直接触れることとなり、衣服を濡らしてしまうおそれがある。また、延出クッション部３３ｄがはみ出していると、おむつの見栄えが悪い。一方で、延出クッション部３３ｄの長さＷ２があまりに短いと、通気性確保等の効果を十分に発揮できない。したがって、延出クッション部３３ｄの長さＷ２は、サイドシート１４の接合領域３１から脚周り開口部２４までの間隔Ｗ１を１００％とすると、２５％〜１００％、または５０％〜９５％が好ましい。
【００５７】
なお、図１〜図９に示された実施形態では、延出領域３３が１つの延出クッション部３３ｄ（延出フラップ３３ａ）と２つの折返フラップ３３ｂに区分されているが、この延出領域３３は、少なくとも１つの延出クッション部３３ｄ（延出フラップ３３ａ）を有していればよい。例えば、折返フラップ３３ｂを省略して、延出フラップ３３ａだけとしたサイドシート１４を用いても良い。また、延出フラップ３３ａは、連続した一つのものだけでなく、複数に分けて形成したものであってもよい。
【００５８】
また、延出フラップ３３ａは、サイドシート１４の内層１４ａと外層１４ｂとの両方に形成されているが、外層１４ｂのみによって延出フラップ３３ａを形成することもできる。例えば、外層１４ｂによって、延出フラップ３３ａを形成しつつ、内層１４ａを吸収性本体１０の肌対向面側に向かって折り返してもよい。
【００５９】
次に、本実施形態のボクサーパンツ型使い捨ておむつの製造方法について説明する。
【００６０】
吸収体１１、トップシート１２、及びバックシート１３の積層体を用意する。この積層体には、セカンドシート１５が含まれていてもよい。
【００６１】
次に、積層体の幅方向両側に、一対のサイドシート１４を接合する。このとき、サイドシート１４の接合領域３１を、積層体のトップシート１２上に接合するとともに、接合領域３１よりも幅方向外側に位置する延出領域３３を積層体から延出させる。この段階において、サイドシート１４には、立体ギャザー伸縮部材１６などを取り付けておく。また、延出フラップ３３ａ（後の延出クッション部３３ｄ）の親水化処理はこの段階、もしくは、折返フラップ３３ｂを折り返した後で行うのが望ましい、例えば、延出フラップ３３ａの肌対向面側に親水材を塗布する。また、吸収用片３３ｅや防漏性フィルムを延出フラップに取り付けるときは、この段階で取り付けてもよい。
【００６２】
次にサイドシート１４の延出領域３３に２つの切り込み３３ｃを形成する。この切り込み３３ｃによって、サイドシート１４の延出領域３３は、１つの延出フラップ３３ａと、その前後両側に位置する２つの折返フラップ３３ｂに区分される。切り込み３３ｃを形成する際には、吸収用片３３ｅは、延出フラップ３３ａ内に配置されるようにする。また、切り込み３３ｃを形成する際には、サイドシート１４を形成するシート部材を溶融させながら切断を行うヒートカッターを用いることが好ましい。これにより、延出フラップ３３ａの周縁が融着されるため、延出フラップ３３ａの内部に吸水性繊維やＳＡＰなどの吸収用片３３ｅを封入しやすくなる。
【００６３】
次に延出領域３３のうち、折返フラップ３３ｂを積層体の肌非対向面側に向かって折り返す。ホットメルト接着剤などによって、折返フラップ３３ｂを積層体の肌非対向面に接合することが好ましい。これにより、延出フラップ３３ａだけが突出した吸収性本体１０ができる。上述したように、この延出フラップ３３ａだけが突出した状態で延出フラップ３３ａの親水化処理を行っても良い。
【００６４】
次に、延出フラップ３３ａに公知のひだ加工により、複数のひだを有する延出クッション部３３ｄを形成する。ひだ加工は、公知のプリーツ加工を用いる。これにより、延出クッション部３３ｄを有する吸収性本体１０が製造される。
【００６５】
次に、吸収性本体１０を、別の製造ラインで製造した外装体２０の肌対向面に重ね合わせて固定する。この時、上述したように、延出クッション部３３ｄが、外装体２０の切り欠きの内側に位置するように、吸収性本体１０は配置される。
【００６６】
最後に、外装体２０の前身頃と後身頃の幅方向両端部を重ね合わせて接合し、ボクサーパンツ型の使い捨ておむつ１００とする、このとき、吸収性本体１０の延出クッション部３３ｄは、脚周り被覆部２５に位置することとなる。
【００６７】
なお、延出フラップ３３ａのひだ加工は、折返フラップ３３ｂを折り返した後に行っているが、本発明はこれに限らず、予めひだ加工をしたサイドシート１４をトップシート１２に取り付け、折返フラップ３３ｂは、折り返さずに取り除く構成としてもよい。すなわち、すでにひだ加工がされた延出クッション部３３ｄのみが延出するように、その他の延出領域（折返フラップ３３ｂ等）は、切り取ってしまう構成としてもよい。
【００６８】
このように、本実施形態のおむつ１００は、少なくとも内股部分に位置する延出クッション部３３ｄを具えているため、股下から内股を伝って漏れる体液を効果的に吸収し、それ以上の漏れ出しを阻止することができる。この吸収、漏れ出し効果に加えて、ひだ３３１間に形成された空間Ｆおよびひだ３３１の高さによって形成された肌とおむつ１００との間の隙間によって、脚周りの通気性を確保できる。さらに、ひだ３３１の変形によるクッション効果によって脚周り伸縮部材２９ｃ等による脚周りの締め付けを、緩和できる。
【００６９】
なお、本実施形態では、凹凸部は、サイドシート１４から延出する延出クッション部３３ｄである。すなわち、本実施形態の凹凸部は、吸収性本体１０と一体となったものであるが、本発明ではこれに限らず、別体であってもよい。次に凹凸部を別体とした第２実施形態について説明する。
【００７０】
図１０は、第２実施形態におけるボクサーパンツ型使い捨ておむつを展開し、肌対向面側から見た展開図である。図１１（ａ）は、図１１のＡ−Ａ線で切断した断面図であり、同図（ｂ）は、図１０のＢ−Ｂ線で切断した断面図である。
【００７１】
本実施形態の凹凸部は、吸収性本体１０から延出したものではなく、吸収性本体１０と別体に形成された独立クッション部３４である。図１０及び図１１（ａ）から分かるように、独立クッション部３４は、吸収性本体１０から離れて取り付けられている。独立クッション部３４は、親水性の不織布など親水性素材に第１実施形態と同様に複数のひだを形成したピースである。この独立クッション部３４を外装体２０に貼り付け、第１実施形態と同様に、ボクサーパンツ型に形成する。
【００７２】
股下から内股部分への漏れは頻繁におきるわけではなく、体の向きや脚の動き、体液のたまり具合によって、発生するものである。したがって、吸収性本体１０が体液を吸収した際に、凹凸部は常に濡れるのではない。したがって、外装体２０は、吸収性本体１０を交換して複数回使用するようなタイプであれば、凹凸部が吸収性本体１０から独立しているものが望ましい。すなわち、独立していれば、延出クッション部３３ｄを有しない従来の吸収性本体１０を用いても、第１実施形態と同様の効果を得ることができる。
【００７３】
なお、本実施形態において、吸収性本体１０は、尿パッドなどでもよく、交換可能なものであればいかなるものであってもよい。
【００７４】
また、第１実施形態及び第２実施形態に共通し、クッション部（延出クッション部３３ｄ、独立クッション部３４）は、脚周り開口部２４の切れ込みに向かって細くなる台形状としたが、本形状に限らず、長方形などであってもよい。また、中心線Ｐに中心が位置するように、長手方向に均等に配置したが、これに限らず、後身頃側、もしくは前身頃側に寄った形であってもよい。位置については、横漏れのしやすい位置に応じて、適宜調整されるものとする。
【００７５】
また、第１実施形態では、あらかじめ複数のひだを形成した延出クッション部３３ｄを有する吸収性本体１０を外装体２０に取り付ける構成とし、第２実施形態では、複数のひだをあらかじめ形成した、吸収性本体１０とは別体の独立クッション部３４を外装体２０に取り付ける構成としたが、これに限らず、脚周り伸縮材２９ｃの収縮力を利用して延出クッション部３３ｄ又は独立クッション部３４を形成するようにしてもよい。例えば、脚周り開口部２４を構成する、脚周り伸縮材２９ｃによる伸縮部にその伸長状態にて不織布をその伸縮方向へ間欠的に接合し、脚周り伸縮材２９ｃの収縮力を利用して複数のひだを有する独立クッション部３４を形成するようにしてもよい。
【符号の説明】
【００７６】
１０  吸収性本体
１１  吸収体
１２  トップシート
１３  バックシート
１４  サイドシート
１４ａ  内層
１４ｂ  外層
１５  セカンドシート
１６  立体ギャザー伸縮部材
２０  外装体
２１  前身頃
２２  後身頃
２３  股下部
２４  脚周り開口部
２５  脚周り被覆部
２６  ウエスト開口部
２７  インナーシート
２８  アウターシート
２９ａ  ウエスト伸縮部材
２９ｂ  タミー伸縮部材
２９ｃ  脚周り伸縮部材
３１  接合領域
３２  起立領域
３３  延出領域
３３ａ  延出フラップ
３３ｂ  折返フラップ
３３ｃ  切り込み
３３ｄ  延出クッション部（凹凸部）
３３ｅ  吸収用片
３３１  ひだ
３４  独立クッション部（凹凸部）
１００  使い捨ておむつ
【図１】
0006365373.tif 000002
【図２】
0006365373.tif 000003
【図３】
0006365373.tif 000004
【図４】
0006365373.tif 000005
【図５】
0006365373.tif 000006
【図６】
0006365373.tif 000007
【図７】
0006365373.tif 000008
【図８】
0006365373.tif 000009
【図９】
0006365373.tif 000010
【図１０】
0006365373.tif 000011
【図１１】
0006365373.tif 000012